(57)【要約】      （修正有）【課題】首筋、頬、顎等の皮膚の皺や弛みに対して、皺を伸ばしたり、緩んだ皮膚をリフティングすることのできる専用のストレッチ・テープであり、また、その装着も簡単であり、しかも、貼付状態は、見えにくいストレッチ・テープを提供する。【解決手段】  ストレッチ・テープにおいて、両面が剥離可能な剥離シート１に、それぞれ、粘着シート２，２′の全部、あるいは一部を貼り、これら粘着シート２，２′の上端部付近の内側に、それぞれ引っ張り補強用剥離シート３，３′を設けた重合構造とし、このストレッチ・テープの形状を、上部を幅狭く、下部を幅広く形成し、人体頭部の耳下付近より耳後部にかけて、左右対称の位置に貼付する形状に構成したストレッチ・テープから構成される。【選択図】図１
0003111862.tif 000002
【実用新案登録請求の範囲】
【請求項１】
ストレッチ・テープにおいて、両面が剥離可能な剥離シート（１）に、それぞれ、粘着シート（２），（２′）の全部、あるいは一部を貼り、これら粘着シート（２），（２′）の上端部付近の内側に、それぞれ引っ張り補強用剥離シート（３），（３′）を設けた重合構造とし、このストレッチ・テープの形状を、上部を幅狭く、下部を幅広く形成し、人体頭部の耳下付近より耳後部にかけて、左右対称の位置に貼付する形状に構成したことを特徴とするストレッチ・テープ。
【請求項２】
上記ストレッチ・テープにおいて、該テープ（Ｘ）の形状が、上部が、耳（Ｙ）のつけ根の後側から、耳たぶに向かって延びる曲線に沿った曲線（Ａ）と、該曲線（Ａ）の先端部より頬骨方向に延びる直線（Ａ′）とし、該一側面と対向する他側面の形状が、耳のつけ根（Ｙ）の後側に位置する髪の生え際（Ｚ）に沿った緩い曲線（Ｂ）とし、前記曲線（Ａ）、直線（Ａ′）と緩い曲線（Ｂ）とで上部を幅狭く、下部を幅広く形成したことを特徴とする請求項１記載のストレッチ・テープ。
【請求項３】
耳のつけ根（Ｙ）の後側の略中央から、耳たぶに向かって延びる曲線に沿った曲線（Ａ）の先端から下方に延びる線（Ａ″）を垂直線としたことを特徴とする請求項１または２記載のストレッチ・テープ。
【請求項４】
これら直線（Ａ′），耳たぶ（Ｙ′）に向かって延びる曲線に沿った曲線（Ａ）の先端から下方に延びる線（Ａ″）に、切り欠き部（４）を一又は複数本設けたことを特徴とする請求項１または２または３記載のストレッチ・テープ。
【考案の詳細な説明】
【技術分野】
【０００１】
この考案は、ストレッチ・テープに関する。
【背景技術】
【０００２】
従来、美容整形などをすることなく、顔に生した皺や弛みを伸ばす簡易な手段として、皺の周辺に貼り、皺の周辺から引っ張って皺を伸ばしたり、弛んだ頬や顎等を引っ張った状態で固定するストレッチ・テープを用いることが知られている。例えば、特許文献１のように。
【０００３】
しかし、このようなストレッチ・テープは、皺の生じた部位によって、複数種の形状の異なったストレッチ・テープを用意しなければならず、結構煩雑であった。例えば特許文献２のように。
【０００４】
そのため、適宜な幅を有する帯状のテープをロール状に巻いたものも存在するが、その都度、カットして用いるものであり、やはり、煩雑であった。特許文献３のように。
【０００５】
さらに、、テープを顔面の皺を伸ばした状態で貼ることが簡単である。しかし、就寝前とか、室内にいる時はよいが、外出時には、その都度せっかく貼ったテープを剥がす必要があり、面倒であった。例えば、特許文献４のように。
【特許文献１】特開２００４−３１３２７７号公報
【特許文献２】実開昭６０−１９５６１７号公報
【特許文献３】実開昭６０−１１６９１８号公報
【特許文献４】特開２００４−２５４７８８号公報
【考案の開示】
【考案が解決しようとする課題】
【０００６】
そこで、この考案は、首筋、頬、顎等の皮膚の皺や弛みに対して、皺を伸ばしたり、緩んだ皮膚をリフティングすることのできる専用のストレッチ・テープであり、また、その装着も簡単であり、しかも、貼付状態は、見えにくいストレッチ・テープを開発・提供することにある。
【課題を解決するための手段】
【０００７】
上記目的を達成するために、頭部側面，即ち，両耳のそれぞれ下方に位置する，それぞれ両顎、両頬、両首筋両顎付近にかけて貼着してリフティングする粘着テープであって、両耳後部と髪の生え際との間に、該粘着テープを上方の方向に引っ張りながら貼着する，下方が幅を広くし、上方が幅を狭く形成した一対のストレッチ・テープとしたものである。
【考案の効果】
【０００８】
この考案のストレッチ・テープによると、剥離用シートに、一対の粘着シートが設けられており、それぞれ耳付近に貼着することにより、左右両方のリフティングが行える。
また、ストレッチ・テープの下部の面積を広く形成したため、粘着シートの粘着力も拡がり、首、頬、顎等の弛みや皺を引っ張り易く、また、該粘着シートの上部を幅狭くしたため、耳のつけ根と髪の生え際との間に位置させてしっかりと貼着することができる。
【０００９】
そして、それぞれ粘着シートの上部には、それぞれ引っ張り補強用剥離シートを設けており、粘着シートを該補強用剥離シートと共に持って引っ張れば、該粘着シートの下部の部分を用いて貼った、首、頬、顎等の弛みや皺を引っ張る際、粘着シートの堅牢な補強となる。
【００１０】
尚、耳（Ｘ）のつけ根の後側の略中央から、耳たぶに向かって延びる曲線に沿った曲線（Ａ）の先端より、垂線にカットすることにより、顔のうち、ストレッチ・テープは、耳より後方に位置するため、貼っていることが分かり難くでき、外出した際にも貼っていることが見えにくく、長時間貼ることができ、その効果も高くなるものである。
【００１１】
さらに、この考案のストレッチ・テープには、切り欠き部を一又は複数設けているため、貼る位置により、また、各人によっても異なる顔面の凹凸面にも充分対応でき、粘着シートを密着して貼ることができるという効果を奏する。
【００１２】
そして、この考案のストレッチ・テープによると、通常、髪で覆われた耳の下部分、あるいは、この部分より後ろ側に貼着するため、貼着していることが判別し難く、そのまま、外出しても目立つことがなく、長期間貼着できる等極めて有益なる効果を奏する。
【考案を実施するための最良の形態】
【００１３】
ストレッチ・テープにおいて、両面が剥離可能な剥離シート（１）に、それぞれ、粘着シート（２），（２′）の全部、あるいは一部を貼り、これら粘着シート（２），（２′）の上端部付近の内側に、それぞれ引っ張り補強用剥離シート（３），（３′）を設けた重合構造とし、このストレッチ・テープの形状を、上部を幅狭く、下部を幅広く形成し、人体頭部の耳下付近より耳後部にかけて、左右対称の位置に貼付する形状に構成したことを特徴とするストレッチ・テープである。
【実施例】
【００１４】
そして、この考案の一実施例を図面に基づいて詳述すると、上記ストレッチ・テープにおいて、該テープ（Ｘ）の形状が、上部が、耳のつけ根（Ｙ）の後側から、耳たぶに向かって延びる曲線に沿った曲線（Ａ）と、該曲線（Ａ）の先端部より頬骨方向に延びる直線（Ａ′）とし、該一側面と対向する他側面の形状が、耳のつけ根（Ｙ）の後側に位置する髪の生え際（Ｚ）に沿った緩い曲線（Ｂ）とし、前記曲線（Ａ）、直線（Ａ′）と緩い曲線（Ｂ）とで上部を幅狭く、下部を幅広く形成したことを特徴とするものである。
【００１５】
さらに、この考案の他の実施例を述べると、図４に示すように、耳のつけ根（Ｙ）の後側の略中央から、耳たぶ（Ｙ′）に向かって延びる曲線に沿った曲線（Ａ）の先端から下方に延びる垂線（Ａ″）としたストレッチ・テープである。
【００１６】
また、さらに、前述のこれら直線（Ａ′）や、耳たぶ（Ｙ′）に向かって延びる曲線に沿った曲線（Ａ）の先端から下方に延びる垂線（Ａ″）に、線状、または、Ｖ字状、あるいは溝底にアールを有する略Ｖ字状にカットした切り欠き部（４）を、一又は複数本設けて構成したストレッチ・テープである。さらに、図５に示すように、粘着シート（２），（２′）の下部は、やや幅を狭く形成したストレッチ・テープであってもよく、また、粘着シート（２）（２′）の下端は、図１および図５に示すように斜めにカットした形状に形成してもよい。
【００１７】
また、粘着シート（２）（２′）に設けた粘着材は、首、頬、顎等の弛みや皺を延ばし、さらに、ある程度の期間、貼っておくため、粘着力は強力なものでなければならず、しかし、皮膚を荒らすようなものであってはならない。
【００１８】
次に、この考案の使用方法の一例を説明すると、剥離シート（１）より、先ず、片面を剥がし、粘着シート（２，２′のいずれか一方）を取り出し、下方の幅広い部分を、耳たぶ（Ｙ′）の下方位置に貼ることにより、頬、顎、そして首筋の皮膚の皺や弛みを後方に引っ張り、その状態で上方に持ち上げて、粘着シートの引っ張り補強用剥離シート（３，３′のいずれか一方）を剥がして、この幅狭い部分を、耳のつけ根（Ｙ）の後部であって、髪の生え際（Ｚ）との隙間部に貼着するものである。
【産業上の利用可能性】
【００１９】
この考案は、ストレッチ・テープの製造技術を確立し、このストレッチ・テープを大量に製造及び販売することにより、産業上利用可能性がある。
【図面の簡単な説明】
【００２０】
【図１】この考案の一実施例を示す正面図である。
【図２】この考案の一実施例を示し（ａ）は側面図、（ｂ）は一部を剥がした状態の側面図である。
【図３】この考案の使用例を示す説明図である。
【図４】この考案の他の実施例を示す正面図である。
【図５】この考案のさらに他の実施例を示す正面図である。
【符号の説明】
【００２１】
１  剥離シート
２，２′粘着シート
３，３′引っ張り補強用剥離シート
４  切り欠き部
Ａ  耳たぶに向かって延びる曲線に沿った曲線
Ａ′  曲線（Ａ）の先端部より頬骨方向に延びる直線
Ａ″曲線（Ａ）の先端から下方に延びる垂線
Ｂ  髪の生え際（Ｚ）に沿った緩い曲線
Ｘ  ストレッチ・テープ
Ｙ  耳のつけ根
Ｙ′耳たぶ
Ｚ  髪の生え際
【図１】
0003111862.tif 000003
【図２】
0003111862.tif 000004
【図３】
0003111862.tif 000005
【図４】
0003111862.tif 000006
【図５】
0003111862.tif 000007
【手続補正書】
【提出日】平成17年4月25日(2005.4.25)
【手続補正１】
【補正対象書類名】明細書
【補正対象項目名】００１６
【補正方法】変更
【補正の内容】
【００１６】
また、さらに、前述のこれら直線（Ａ′）や、耳たぶ（Ｙ′）に向かって延びる曲線に沿った曲線（Ａ）の先端から下方に延びる垂線（Ａ″）に、線状、または、Ｖ字状、半円状、あるいは溝底にアールを有する略Ｖ字状にカットした切り欠き部（４）を一又は複数設けて構成したストレッチホテープである。さらに、図５に示すように、粘着シート（２），（２′）の下部は、やや幅を狭く形成したストレッチ・テープであってもよく、また、粘着シート（２）（２′）の下端は、図１及び図５に示すように斜めにカットした形状に形成してもよい。さらに、図示はしないが、粘着シート（２）（２′）の下端の角部はアールに形成してもよい。
【手続補正２】
【補正対象書類名】明細書
【補正対象項目名】００１７
【補正方法】変更
【補正の内容】
【００１７】
また、粘着シート（２）（２′）は、人工皮膚であってもよく、この粘着シート（２）（２′）に設けた粘着材は、首、頬、顎等の緩みや皺を延ばし、さらに、ある程度の期間、貼っておくため、粘着力は強力なものでなければならず、しかし、皮膚を荒らすようなものであってはならない。